(57)【特許請求の範囲】
【請求項１】
内側に収容空間を画成する空間画成部材と、該空間画成部材に設けられた基板とを備え、前記収容空間内から前記空間画成部材の外側に挿通する配線部材のコネクタを、前記基板のコネクタ接続部に対して前記空間画成部材の外側で着脱し得るよう構成された遊技機において、
前記空間画成部材は、前記基板のコネクタ接続部が位置する配設板部と、該配設板部に対して交差する交差板部とを含む複数の板部により前記収容空間を画成するよう構成されると共に、
前記配設板部に形成されて、前記収容空間の内外に貫通する配線挿通部と、
前記交差板部に形成されて、前記配線挿通部に連通する配線誘導部と、
前記交差板部に前記配線誘導部と連通するよう形成されて、前記配線部材のコネクタを挿通可能なコネクタ受入部とを備え、
前記収容空間から前記コネクタ受入部を介して前記交差板部の外側にコネクタを引き出した前記配線部材を、前記配線誘導部を介して前記配線挿通部まで移動可能に構成され、
前記配線挿通部は、複数の前記配線部材を同時に通過させ得る大きさに形成されると共に、該複数の配線部材の各コネクタを挿通し得ない大きさに形成された
ことを特徴とする遊技機。
【請求項２】
前記基板は、前記配線部材とは別の配線部材のコネクタが接続される別のコネクタ接続部を備えると共に、該別のコネクタ接続部が前記配設板部に形成された連通口に位置するよう前記収容空間に配設され、
前記別の配線部材の挿通経路と、該挿通経路に前記別の配線部材を保持する配線保持部とが、前記配設板部の外面に形成され、
前記配線保持部は、前記別の配線部材を前記別のコネクタ接続部に対する接続方向と交差する向きに撓ませた状態で保持するよう構成され、
前記別の配線部材の復元力によって該別の配線部材と前記配線保持部との間に前記配線部材の所定部位を保持し得るよう構成された請求項１記載の遊技機。
【発明の詳細な説明】
【技術分野】
【０００１】
本発明は、基板と他の電気部品とを配線により電気的に接続するよう構成した遊技機に関するものである。
【背景技術】
【０００２】
遊技機の代表例の一つとしてのパチンコ機には、固定枠に開閉自在に組み付けられた本体枠に、パチンコ球が流下可能な遊技領域が前面側に形成された遊技盤が着脱自在に配設されている。この遊技盤の後面側には、前方に開放する箱状の設置部材が取り付けられ、これら遊技盤および設置部材の間に画成される収容空間には、演出装置等を収容する収容空間が画成されている。また、前記設置部材の後面側には、制御基板や中継基板等の基板が取り付けられており、収容空間内や遊技盤に設けられた電気部品(例えば、入賞球検出センサや演出装置)に繋がる配線が設置部材の後面側へ引き出されて、該設置部材の後面側で基板に接続されている(例えば、特許文献１)。
【先行技術文献】
【特許文献】
【０００３】
【特許文献１】特開２０１１−１０４２９２号公報
【発明の概要】
【発明が解決しようとする課題】
【０００４】
パチンコ機を製造する作業者は、設置部材の内側(収容空間)から配線を引き出した状態とした上で、該設置部材を遊技盤に取り付ける。ここで、収容空間には演出装置等が余すところなく収容されていることから、設置部材の後壁に設けられた配線口に配線を通す作業が非常に困難となることがある。そしてこの場合には、配線の取り回し作業が煩雑になって作業時間が増大し、また作業中に配線を破損させるリスクも高まる。
【０００５】
そこで本発明は、従来の技術に内在する前記問題に鑑み、これらを好適に解決するべく提案されたものであって、配線接続作業を簡易にし得る遊技機を提供することを目的とする。
【課題を解決するための手段】
【０００６】
前記課題を克服し、所期の目的を達成するため、本願請求項１に係る遊技機は、
内側に収容空間(53)を画成する空間画成部材(50)と、該空間画成部材(50)に設けられた基板(37A)とを備え、前記収容空間(53)内から前記空間画成部材(50)の外側に挿通する配線部材(H4,H7)のコネクタを、前記基板(37A)のコネクタ接続部(CN)に対して前記空間画成部材(50)の外側で着脱し得るよう構成された遊技機において、
前記空間画成部材(50)は、前記基板(37A)のコネクタ接続部(CN)が位置する配設板部(51)と、該配設板部(51)に対して交差する交差板部(52)とを含む複数の板部(51,52)により前記収容空間(53)を画成するよう構成されると共に、
前記配設板部(51)に形成されて、前記収容空間(53)の内外に貫通する配線挿通部(85a)と、
前記交差板部(52)に形成されて、前記配線挿通部(85a)に連通する配線誘導部(85b)と、
前記交差板部(52)に前記配線誘導部(85b)と連通するよう形成されて、前記配線部材(H4)のコネクタを挿通可能なコネクタ受入部(85c)とを備え、
前記収容空間(53)から前記コネクタ受入部(85c)を介して前記交差板部(52)の外側にコネクタを引き出した前記配線部材(H4,H7)を、前記配線誘導部(85b)を介して前記配線挿通部(85a)まで移動可能に構成され、
前記配線挿通部(85a)は、複数の前記配線部材(H4,H7)を同時に通過させ得る大きさに形成されると共に、該複数の配線部材(H4,H7)の各コネクタを挿通し得ない大きさに形成されたことを要旨とする。
請求項１に係る発明によれば、配線部材のコネクタを、収容空間からコネクタ受入部を介して交差板部の外側に引き出したもとで、配線誘導部から配線挿通部へと移動させて基板のコネクタ接続部に接続させることができるから、配線部材を配線挿通部に直接挿通させる必要がない。すなわち、収容空間に収容される部材との関係で配線接続作業が困難となるのを防ぐことができる。
また、配線挿通部を複数の配線部材で兼用し得る。
【０００７】
請求項２に係る発明は、
前記基板(37A)は、前記配線部材(H4)とは別の配線部材(H3)のコネクタが接続される別のコネクタ接続部(CN)を備えると共に、該別のコネクタ接続部(CN)が前記配設板部(51)に形成された連通口(81a)に位置するよう前記収容空間(53)に配設され、
前記別の配線部材(H3)の挿通経路(R)と、該挿通経路(R)に前記別の配線部材(H3)を保持する配線保持部(90)とが、前記配設板部(51)の外面に形成され、
前記配線保持部(90)は、前記別の配線部材(H3)を前記別のコネクタ接続部(CN)に対する接続方向と交差する向きに撓ませた状態で保持するよう構成され、
前記別の配線部材(H3)の復元力によって該別の配線部材(H3)と前記配線保持部(90)との間に前記配線部材(H4)の所定部位を保持し得るよう構成されたことを要旨とする。
【０００８】
本願には、次のような技術的思想が含まれる。
前記配線挿通部(85a,86a)は、前記配設板部(51)における前記交差板部(52)と連なる外縁部に位置するよう形成されたことを要旨とする。
上記構成によれば、コネクタ受入部から交差板部の外側へ引き出した配線部材を、配線誘導部を介して配線挿通部へ容易に移動させることができる。
【０００９】
本願には、次のような技術的思想が含まれる。
前記コネクタ受入部(86c)に一端が連通すると共に他端が前記交差板部(52)における前記配設板部(51)とは反対側の縁部に開口する配線受入部(86d)を備え、
所定の遊技機構成部材(58)が、前記配線受入部(86d)の他端の開口を塞ぐよう前記空間画成部材(50)に設けられたことを要旨とする。
上記構成によれば、空間画成部材に設けられた配線受入部の開口が遊技機構成部材で塞がれた状態では、空間画成部材および遊技機構成部材を分解することなくコネクタ受入部を介して交差板部の外側へ配線部材を引き出すことができる。また、配線受入部の開口を遊技機構成部材で塞ぐ前の状態では、配線受入部の開口から配線部材を直接挿入して配線挿通部まで移動させることができるから、コネクタ受入部に配線部材のコネクタを挿通させる必要がなく、配線接続作業をより簡易にすることができる。
【発明の効果】
【００１０】
本発明に係る遊技機によれば、配線接続作業を簡易にすることができる。
【図面の簡単な説明】
【００１１】
【図１】本発明の実施例に係るパチンコ機を示す正面図である。
【図２】実施例に係る遊技盤を示す正面図である。
【図３】実施例に係る設置部材の分解斜視図であり、設置部材に対して図柄表示装置、演出制御基板および表示制御基板を分離した状態を示している。
【図４】実施例に係る設置部材の要部拡大図である。
【図５】(ａ)は、実施例に係る設置部材の背面図であり、(ｂ)は、(ａ)に示すＸ２の拡大図である。
【図６】図５(ａ)に示すＸ１の拡大図である。
【図７】図６のＹ矢視図であって、遊技盤を省略している。
【図８】(ａ)は、図６のＡ−Ａ線断面図であり、(ｂ)は、図６のＢ−Ｂ線断面図であって、配線部材を省略して示している。
【図９】(ａ)は、第１および第３配線部材を図６のＣ−Ｃ線で切断した状態を示しており、(ｂ)は、第１および第３配線部材を図６のＡ−Ａ線で切断した状態を示しており、(ｃ)は、第３、第４および第７配線部材を図６のＤ−Ｄ線で切断した状態を示しており、(ｄ)は、第３および第４配線部材を図６のＥ−Ｅ線で切断した状態を示している。
【図１０】実施例に係るパチンコ機の配線接続関係を示すブロック図である。
【発明を実施するための形態】
【００１２】
次に、本発明に係る遊技機につき、好適な実施例を挙げて、添付図面を参照しながら以下詳細に説明する。なお、遊技機としては、一般的なパチンコ機を例にして説明する。また、以下の説明において、「前」、「後」、「左」、「右」とは、特に断りのない限り、図１に示すようにパチンコ機を前側(遊技者側)から見た状態で指称する。
【実施例】
【００１３】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０(図２参照)を着脱可能に保持する本体枠としての中枠１２が開閉および着脱可能に組み付けられて、該遊技盤２０の裏側に、演出(表示演出)を実行可能な演出手段としての図柄表示装置(遊技機構成部材)１７が着脱可能に配設されている。この図柄表示装置１７は、所定条件の成立(後述する始動入賞口３０へのパチンコ球の入賞)を契機として演出用の図柄(以下飾図という)を変動表示させて図柄変動演出を行うものであり、該図柄表示装置１７に表示される飾図の表示結果や演出の内容によって、当り遊技を生起するか否かの当り判定の結果が示唆または報知されるようになっている。また、中枠１２の前面側には、遊技盤２０を透視保護するガラス板や透明な合成樹脂材により形成された透視保護板１３ｂで前後に開口する窓口１３ａを覆うよう構成された装飾枠としての前枠(扉体)１３が開閉可能に組み付けられると共に、該前枠１３の下方にパチンコ球を貯留する下球受け皿１５が開閉可能に組み付けられている。更に、前枠１３の下部位置には、パチンコ球を貯留する上球受け皿１４が一体的に組み付けられており、前枠１３の開閉に合わせて上球受け皿１４が一体的に開閉するよう構成されている。なお、上球受け皿１４は、前枠１３と別体に形成して、中枠１２に対して開閉可能に組み付けるようにしてもよい。また、実施例では、図柄表示装置１７として、飾図の他に各種絵柄やキャラクタ等を表示可能な液晶パネルを収容ケースに収容した液晶表示装置が採用されているが、これに限られるものではなく、ドラム式の図柄表示装置やドットマトリックス式の図柄表示装置等の各種図柄を停止および変動表示可能な従来公知の各種の表示装置を採用し得る。
【００１４】
また、前枠１３には、窓口１３ａの外周を囲繞するよう枠ランプ(発光手段)１９が配設されると共に、前枠１３の上隅部に、音声や効果音を出力可能なスピーカ(音出力手段)１８が配設されている。すなわち、枠ランプ１９に設けられたＬＥＤ等の発光体(図示せず)を点灯・点滅したり、スピーカ１８から適宜の音声を出力することで、前記図柄表示装置１７での図柄変動演出に合わせて演出を行い得るよう構成されている。すなわち、前枠１３に配設された枠ランプ１９は、発光演出を実行可能な演出手段として機能すると共に、前枠１３に配設されたスピーカ１８は、音演出を実行可能な演出手段として機能している。なお、上球受け皿１４や下球受け皿１５に対して枠ランプ１９またはスピーカ１８を配設するよう構成してもよい。
【００１５】
前記中枠１２の右下方位置には、該中枠１２に配設された図示しない球発射装置を作動する操作ハンドル１６が設けられている。操作ハンドル１６は、左回転方向に付勢された操作レバー１６ａを備えており、該操作レバー１６ａを右回転するよう遊技者が回動操作することで球発射装置が作動されて、前記上球受け皿１４に貯留されたパチンコ球が前記遊技盤２０の遊技領域２０ａに向けて１球ずつ発射されるようになっている。ここで、操作レバー１６ａの回動量に応じて前記球発射装置によるパチンコ球の打球力が強弱変化するよう構成されている。
【００１６】
前記パチンコ機１０には、パチンコ機１０に関する統括的な制御を行う主制御基板３３(図１０参照)が遊技盤２０の後面側(後述する設置部材５０の後面)に配設されると共に、主制御基板３３からの制御信号に基づいて演出に関する制御を行う演出制御基板３４(図１０参照)が遊技盤２０の後面側(後述する設置部材５０の後面)に配設されている。演出制御基板３４は、主制御基板３３からの制御信号を受けて前記図柄表示装置１７の表示内容を表示制御基板３５(図１０参照)に指示する(制御信号を出力する)ことで、該表示制御基板３５を介して図柄表示装置１７による表示を制御する。また、演出制御基板３４は、主制御基板３３からの制御信号を受けて、前記枠ランプ１９や後述する可動演出部６０(図２参照)等の発光態様を図柄変動演出に合わせて制御したり、図柄変動演出に合わせて前記スピーカ１８の音出力態様を制御したり、図柄変動演出に合わせて可動演出部６０に設けられる可動体６１の動作態様を制御したりするようになっている。ここで、実施例の可動体６１には、図柄変動演出に合わせて発光演出を行う発光部(後述する発光基板６４)や、図柄変動演出に合わせて演出表示を行う表示部(後述するサブ画像表示部６５)が設けられており、発光部(発光基板６４)を演出制御基板３４が制御すると共に、表示部(サブ画像表示部６５)を表示制御基板３５が制御するよう構成されている(図１０参照)。なお、主制御基板３３、演出制御基板３４および表示制御基板３５とは別に備えた制御基板が、枠ランプ１９の発光態様を制御したり、スピーカ１８の音出力態様を制御したり、可動体６１の動作態様を制御したりするようにしてもよい。
【００１７】
(遊技盤２０について)
前記遊技盤２０は、アクリルやポリカーボネート等の光透過性の合成樹脂材から所定板厚の略矩形状に形成された平板状の透明板(遊技領域形成部材)であって、該遊技盤２０の裏側(後述する設置部材５０の後面)に前記図柄表示装置１７が着脱自在に組み付けられている。遊技盤２０の前側には、図２に示すように、略円形状に湾曲形成した案内レール２１が配設されており、該案内レール２１によって、パチンコ球が流下可能(移動可能)な略円形の遊技領域２０ａが画成されている。この遊技盤２０には、遊技領域２０ａから遊技盤２０の後方に貫通する装着口(図示せず)が適宜位置に開設されており、各装着口には、パチンコ球が入賞可能な入賞口を有する入賞装置(例えば、パチンコ球が入賞可能な始動入賞口３０が設けられた始動入賞装置２９、パチンコ球が入賞可能な特別入賞口３２が設けられた特別入賞装置３１、パチンコ球が入賞可能な一般入賞口２７ａが設けられたサイド飾り２７)や、画像表示面１７ａの前方位置に表示窓口２５ａが前後に開口するよう形成された枠状装飾体２５といった各種の遊技部品が前側から取り付けられる。また、遊技領域２０ａの最下部位置には、該遊技領域２０ａを流下したパチンコ球を排出するアウト口２２が開設されている。実施例のパチンコ機１０は、パチンコ球が遊技領域２０ａを流下して始動入賞口３０に入賞した場合に、当該入賞を契機として(当り判定条件の成立に応じて)特図当り判定(当り判定)が実行され、この当り判定の結果が当りの判定結果となることで、特別入賞口３２へのパチンコ球の入賞が許容されて遊技者に有利な特別遊技(当り遊技)が生起されるようになっている。なお、遊技盤２０は、ベニヤ材や合成樹脂材等の非光透過性の板部材の表面に装飾シール等を貼付したものであってもよい。
【００１８】
(設置部材５０について)
前記遊技盤２０の後面には、部材を配設可能な設置部材(空間画成部材)５０が取り付けられている。図３および図４に示すように、設置部材５０は、前側(遊技盤２０側)が開口する箱状に設けられており、部品を収容可能な収容空間５３を内側に画成するよう構成されている。具体的に、設置部材５０は、遊技盤２０の後方に離間して該遊技盤２０の後面と対向する略矩形状の背面板(配設板部)５１と、この背面板５１における上下および左右の外縁から前方(背面板５１に対する交差方向)へ延出して、遊技盤２０と背面板５１との間を囲うように延在する上下および左右の外周板(交差板部)５２と、により構成されている。すなわち、実施例のパチンコ機１０は、背面板５１の内面(前面)と、上下左右の外周板５２の内面とによって遊技盤２０の後側に収容空間５３が画成されるよう構成されている。
【００１９】
図４に示すように、前記収容空間５３には、演出手段としての前記可動演出部６０が配設されており、前記図柄表示装置１７で行われる図柄変動演出に合わせた各種の演出を実行するよう構成されている。可動演出部６０には、複数の電気部品(図１０に示す接続基板４０、駆動手段６２、原位置センサ６３、発光基板６４およびサブ画像表示部６５)が設けられており、各電気部品４０,６２,６３,６４,６５が前記収容空間５３に収容されている。また、収容空間５３には、可動演出部６０とは別の演出手段を構成する他の電気部品６９(図４および図１０参照)が収容されている。更に、収容空間５３には、該収容空間５３に配設された電気部品４０,６２,６３,６４,６９と前記演出制御基板３４との電気的な接続を中継する中継基板３７Ａ,３７Ｂ(図３および図１０参照)が収容されている。中継基板３７Ａ,３７Ｂは、収容空間５３の後端部に配設され、該中継基板３７Ａ,３７Ｂの後面に設けられたコネクタ接続部ＣＮが、背面板５１の後側に臨むように位置している。具体的に、中継基板３７Ａ,３７Ｂの後面に設けられたコネクタ接続部ＣＮは、後述する連通口８１ａに位置しており、電気部品４０,６２,６３,６９と接続する配線部材(後述する第４〜第７配線部材Ｈ４,Ｈ５,Ｈ６,Ｈ７)が接続されている。なお、中継基板３７Ａ,３７Ｂには、コネクタ接続部ＣＮが前面にも設けられており(図８参照)、収容空間５３内部に配設された図示しない電気部品に繋がる配線部材(図示せず)が前面のコネクタ接続部ＣＮに接続されている。また、前記左右の外周板５２および下側の外周板５２の前端部には、後述する配線受入部８６ｄ(配線開口８６)の前側開口を塞ぐ排出路形成部材(所定の遊技機構成部材)６８が取り付けられている(図７参照)。この排出路形成部材６８は、前記一般入賞口２７ａに入賞したパチンコ球を遊技盤２０の下方へ排出する排出路(図示せず)が設けられ、遊技盤２０と設置部材５０との間に位置するように配設されている。
【００２０】
前記背面板５１には、前後に開口する表示用開口５１ａが形成されており、該背面板５１の後側に配設された前記図柄表示装置１７の画像表示面１７ａが表示用開口５１ａに臨んで、設置部材５０の前側から視認可能となっている。なお、背面板５１に関する以下の説明では、表示用開口５１ａの開口上縁を形成して上側の外周板５２に連なる背面板５１の上部を「上枠部５１Ｔ」と指称し、表示用開口５１ａの開口下縁を形成して下側の外周板５２に連なる背面板５１の下部を「下枠部５１Ｕ」と指称し、表示用開口５１ａにおける左側(図３において右側)の開口側縁を形成して左側の外周板５２に連なる背面板５１の左側部を「第１側枠部５１Ｌ」と指称し、表示用開口５１ａにおける右側(図３において左側)の開口側縁を形成して右側の外周板５２に連なる背面板５１の右側部を「第２側枠部５１Ｒ」と指称することがある。
【００２１】
前記背面板５１には、図５(ａ)に示すように、前記図柄表示装置１７の前面を支持するよう前記表示用開口５１ａを囲う枠状に設けられた支持面部５１１が、この支持面部５１１の外周側よりも後方に偏倚するよう設けられている。支持面部５１１は、前記背面板５１における上枠部５１Ｔの一部と、下枠部５１Ｕの一部と、第１側枠部５１Ｌの一部と、第２側枠部５１Ｒの一部とにより、前記表示用開口５１ａを囲う枠状に設けられている。これに対し、前記図柄表示装置１７は、背面板５１の後面に取り付けられた状態(後述する係合支持部７０および固定支持部７８によって支持された状態)で、支持面部５１１の全体を後側から被覆するように位置する。すなわち、支持面部５１１は、設置状態の図柄表示装置１７の前側に対向して、図柄表示装置１７の前面における表示用開口５１ａの周囲を支持するようになっている(なお、図柄表示装置１７が設置状態で位置する領域を「設置領域５６」と指称する)。前記下枠部５１Ｕは、支持面部５１１より下側に位置する部分が、該下枠部５１Ｕの左右両側縁に亘って該支持面部５１１より前側に位置している。そして、この下枠部５１Ｕにおける支持面部５１１よりも前側に位置する部分の後面側には、前記主制御基板３３と電気的に接続されるメイン中継基板３３ｘと、前記演出制御基板３４と電気的に接続される統括中継基板３６とが、左右に並ぶように配設されている。また、メイン中継基板３３ｘおよび統括中継基板３６を後方から覆うように、前記主制御基板３３が配設されている。
【００２２】
なお、前記下枠部５１Ｕは、前記支持面部５１１より下側に位置する部分が、第１側枠部５１Ｌの一部(具体的には、第１側枠部５１Ｌにおける外周板５２側の側縁に沿う部分)と同一平面上で連なると共に、第２側枠部５１Ｒの一部(具体的には、第２側枠部５１Ｒの下端部)と同一平面上で連なるよう設けられ、第１側枠部５１Ｌに設けられた後述する左配線収容部８０Ｌと同一平面上で連なると共に、第２側枠部５１Ｒに設けられた後述する右配線収容部８０Ｒと同一平面上で連なっている。そこで、以下の説明では、下枠部５１Ｕにおける支持面部５１１より下側に位置する部分と、この下枠部５１Ｕにおける支持面部５１１より下側に位置する部分に対して同一平面上で連なる第１側枠部５１Ｌの一部および第２側枠部５１Ｒの一部とを、支持面部５１１に対して前側に位置すると共に左右の配線収容部８０Ｌ,８０Ｒを繋ぐ「配線面部５１２」と指称することがある。
【００２３】
(可動演出部６０について)
図４に示すように、前記可動演出部６０は、前記設置部材５０における背面板５１の前面に位置するように収容空間５３内に配設されて、該収容空間５３の内側で前記可動体６１を移動させ得るように構成されている。ここで、実施例の可動演出部６０には、左右一対の可動体６１Ｌ,６１Ｒと、これら一対の可動体６１Ｌ,６１Ｒを独立的に駆動させる一対の駆動機構(図１０に示す駆動手段６２および図示しない動力伝達手段)とにより構成されている。左可動体６１Ｌは、収容空間５３の内部における表示用開口５１ａの左側(第１側枠部５１Ｌの前面)に、上下方向に往復動作可能に設けられている。また、右可動体６１Ｒ(図２参照)は、収容空間５３の内部における表示用開口５１ａの右側(第２側枠部５１Ｒの前面)に、上下方向に往復動作可能に設けられている。なお、これら一対の可動体６０Ｌ,６０Ｒは基本的に同じ構造であって、駆動機構を含めて基本的に左右対称となっている。従って、可動演出部６０に関する以下の記載では、左可動体６０Ｌに関する構成について説明し、右可動体６０Ｒに関する構成については説明を省略することがある。
【００２４】
具体的に、前記可動演出部６０は、図４に示すように、前記設置部材５０の内壁面(背面板５１の前面)に取り付けられた可動ベース部材６０ｘと、この可動ベース部材６０ｘによって収容空間５３の内側で移動可能に支持された前記左可動体６１Ｌ(可動体６１)とを備えている。可動ベース部材６０ｘは、左可動体６１Ｌを支持するベース本体部６６と、このベース本体部６６における側縁部(前記左側の外周板５２と近接する側縁部)に沿って上下に延在するベース画壁部６７(後述)とを備えている。ベース本体部６６は、前記背面板５１の前記第１側枠部５１Ｌに対して前側に重なるように前記表示用開口５１ａ(前記画像表示面１７ａ)と、前記左側の外周板５２との間に設けられ、左可動体６１Ｌを収容空間５３内で移動可能に支持している。具体的に、ベース本体部６６には、上下方向に円弧状に延在する案内溝６６ａが形成され、該案内溝６６ａの延在方向(案内方向)に沿って左可動体６１Ｌを移動させるようになっている。また図示省略するが、ベース本体部６６の下部には駆動手段６２(図１０参照)および原位置センサ６３(図１０参照)が配設されている。すなわち、左可動体６１Ｌは、第１側枠部５１Ｌの前側において、下側の待機位置および上側の動作位置との間で移動し得るように構成されている。
【００２５】
前記左可動体６１Ｌを駆動する前記駆動手段６２は、例えば回転駆動力を導出する電動モータであり、ギヤ等の動力伝達手段(図示せず)を介して該左可動体６１Ｌと連結されている。左可動体６１Ｌは、常には前記待機位置(図２に示す位置)に位置しており、駆動手段６２からの駆動力が動力伝達手段を介して伝達されることで前記動作位置へ向けて移動するように構成されている。また原位置センサ６３は、待機位置にある左可動体６１Ｌに設けられた図示しない被検出片を検出するものであり、該原位置センサ６３の検出状態によって左可動体６１Ｌが待機位置にあるか否かを判別できるようになっている。
【００２６】
図４に示すように、前記左可動体６１Ｌは、電気部品として、前方へ向けて光を照射可能な発光体を有する発光基板６４と、画像を表示可能なサブ画像表示部６５とを備えている。発光基板６４は、前記主制御基板３３からの制御信号に基づいて前記演出制御基板３４が制御することにより、前記図柄表示装置１７の画像表示面１７ａに表示される図柄変動演出に合わせて発光演出を行うようになっている。また、サブ画像表示部６５は、前記主制御基板３３(前記演出制御基板３４)からの制御信号に基づいて前記表示制御基板３５が制御することにより、前記図柄変動演出に合わせた表示演出を行ったり、図示しない不正検知手段によって不正行為が検知された場合にエラー報知情報を表示したりするようになっている。
【００２７】
図４に示すように、前記可動ベース部材６０ｘの前記ベース画壁部６７は、前記ベース本体部６６において前記左側の外周板５２と近接する側の側縁部から前方へ延出すると共に上下に長尺に設けられており、前記左可動体６１Ｌの可動領域と、左側の外周板５２との間を区画している。すなわち、ベース画壁部６７は、板面の一方が左可動体６１Ｌの可動領域に臨んで、該左可動体６１Ｌの移動方向(上下方向)に延在するよう設けられている。このベース画壁部６７は、左側の外周板５２の内壁面に対して近接して沿うよう上下に垂直に延在する平板状の垂直板部６７ａと、この垂直板部６７ａの上端部に連設されて上側へ向かうにつれて前記左側の前記外周板５２から前記表示用開口５１ａ側へ離間するよう形成された離間板部６７ｂとを備えている。すなわち、前記左側の外周板５２に対する離間板部６７ｂの離間寸法は、該左側の外周板５２に対する垂直板部６７ａの離間寸法よりも大きく設定されている。そして、この離間板部６７ｂと、左側の外周板５２との間に画成される隙間５４は、配線部材Ｈ４,Ｈ７を前記収容空間５３から前記設置部材５０の後側(背面板５１の後面側)へ向けて引き出すための作業領域として利用されている。なお、配線部材Ｈ１〜Ｈ７による配線接続構造については後述する。
【００２８】
図４に示すように、前記ベース画壁部６７には、前記可動演出部６０における可動領域側の壁面に、前記左可動体６１Ｌに設けられた電気部品６４,６５に一端が接続された配線部材ＦＨ(図１０参照)が保持されており、左可動体６１Ｌの移動に伴って変位する際に該配線部材ＦＨが左可動体６１Ｌと接触しないようにしている。そして、このベース画壁部６７の上端部を構成する前記離間板部６７ｂは、前記配線部材ＦＨの他端が接続される接続基板４０を保持するための保持部として機能している。
【００２９】
(図柄表示装置１７を支持する構成について)
図３および図５(ａ)に示すように、前記背面板５１には、前記図柄表示装置１７を支持する支持部として、図柄表示装置１７の左側部を支持する係合凹部７５が設けられた係合支持部７０と、図柄表示装置１７の右側部を支持する係止孔７８ａが設けられた固定支持部７８とが設けられている。ここで、図柄表示装置１７は、係合支持部７０および固定支持部７８によって支持された状態で、背面板５１の後面の一部としての前記支持面部５１１に当接し、該支持面部５１１によって前側から支持されるようになっている。
【００３０】
図３、図５(ａ)および図６に示すように、前記係合支持部７０は、前記図柄表示装置１７の側端部に沿って上下に延在するよう設けられている。この係合支持部７０には、前記設置領域５６へ向けて開口する図示しない挿入口が形成された前記係合凹部７５が設けられ、該図柄表示装置１７の側面から側方へ向けて突出する係合突部４１を当該係合凹部７５の挿入口に挿入することで、図柄表示装置１７を支持している。実施例では、図柄表示装置１７の側面における上下に離間する位置に係合突部４１が設けられており、該係合突部４１に対応して、係合支持部７０における上下に離間する位置に係合凹部７５が夫々設けられている。そして、これら複数の係合凹部７５(実施例では上下２つの係合凹部７５)における挿入口の開設面が、図柄表示装置１７を支持する支持面７５ａとなっている。
【００３１】
また、前記係合支持部７０には、前記複数の係合凹部７５の間で上下に延在すると共に前記配線面部５１２から前記支持面部５１１よりも後方位置まで延出する突板(突板部７１,７２,７３,７４)が設けられている。突板は、上下方向に離間する複数箇所において左右方向に貫通する開放部分が設けられており、上下に互いに離間する複数の突板部７１,７２,７３,７４に分割されている。係合支持部７０は、突板(突板部７１,７２,７３,７４)によって前記図柄表示装置１７の設置領域５６の一部を側方から被覆することで、該設置領域５６に位置する図柄表示装置１７と他の部材との干渉を防ぐようになっている。具体的に、係合支持部７０は、上側に位置する係合凹部７５における支持面７５ａと反対側の側端部に沿って下方へ延びる第１突板部７１と、下側に位置する係合凹部７５における支持面７５ａと反対側の側端部に沿って上方へ延びる第４突板部７４と、第１突板部７１および第４突板部７４の間に位置する第２突板部７２および第３突板部７３とを備えている。
【００３２】
ここで、前記係合支持部７０における前記支持面７５ａとは異なる壁面７０ａには、配線部材(後述する配線部材Ｈ１,Ｈ３,Ｈ４)を保持する配線保持部９０が設けられている。具体的には、前記下側に位置する係合凹部７５の後端面(支持面とは異なる壁面７０ａ)と、前記突板部７１,７２,７３の延出端面(支持面とは異なる壁面７０ａ)とに、配線保持部９０が夫々設けられている。すなわち、係合支持部７０に配線保持部９０を設けることで、設置領域５６の近傍に配線部材(配線部材Ｈ１,Ｈ３,Ｈ４)を取り回し得るように構成されている。また、係合凹部７５や突板部７１,７２,７３に配線保持部９０を設け、これら係合凹部７５または突板部７１,７２,７３と、配線保持部９０との内側に画成される配線保持領域Ｒａ(後述)に配線部材(配線部材Ｈ１,Ｈ３,Ｈ４)を保持するようにすることで、配線保持部９０を小型に構成して、該配線保持部９０を設けるのに必要がスペースを縮小し得るようになっている。なお、この配線部材(配線部材Ｈ１,Ｈ３,Ｈ４)を保持するための具体的な構成については後述する。
【００３３】
図３および図５(ｂ)に示すように、前記固定支持部７８には、前後に開口する係止孔７８ａが形成されており、図柄表示装置１７の右側部に設けた係止具４２を後方から係止孔７８ａに挿入して係止することにより、図柄表示装置１７が背面板５１の後側に固定される。すなわち、図柄表示装置１７は、一方の側部を前記係合支持部７０に設けた前記係合凹部７５によって設置領域５６と位置合わせしつつ、他方の側部を固定支持部７８で固定することで、背面板５１の後側における係合支持部７０および固定支持部７８の間(設置領域５６)に配設されるようになっている。そして、図柄表示装置１７の後面に取り付けられる前記演出制御基板３４および前記表示制御基板３５は、図柄表示装置１７を介して間接的に支持部７０,７８に支持されることになり、背面板５１の後面側に配設されるようになっている。
【００３４】
(左配線収容部８０Ｌについて)
図３および図５(ａ)に示すように、前記背面板５１の前記第１側枠部５１Ｌには、前記左中継基板３７Ａの後面に設けられたコネクタ接続部ＣＮに接続する配線部材(後述する第３〜第７配線部材Ｈ３,Ｈ４,Ｈ５,Ｈ６,Ｈ７)を収容可能な左配線収容部８０Ｌが設けられている。左配線収容部８０Ｌは、図６に示すように、第１側枠部５１Ｌにおいて前記支持面部５１１および前記配線面部５１２の間に設けられ、前記図柄表示装置１７の前側に位置すると共に、前記収容空間５３に収容されている左中継基板３７Ａの後方に位置している。ここで、左配線収容部８０Ｌは、前記図柄表示装置１７に対して前方へ離間して対向するよう設けられた連通壁部８１と、この連通壁部８１および支持面部５１１を段差状に接続する周壁部８２と、この周壁部８２に対向する前記突板(前記突板部７１,７２,７３,７４)とにより構成され、連通壁部８１に形成された連通口８１ａを通じて、前記収容空間５３に配設された左中継基板３７Ａの後面に設けたコネクタ接続部ＣＮを後方へ臨ませるようになっている。連通口８１ａは、左中継基板３７Ａの後面における複数のコネクタ接続部ＣＮが設けられる領域に対応する大きさに形成されて、該複数のコネクタ接続部ＣＮを左配線収容部８０Ｌに臨ませるようになっている。なお、連通壁部８１は、第１側枠部５１Ｌに設けられる配線面部５１２と同一平面上で左右に連なるように設けられており、上下に延在する突板(前記突板部７１,７２,７３,７４)が、配線面部５１２および連通壁部８１を左右に区画するように位置している。
【００３５】
図６に示すように、前記左配線収容部８０Ｌは、支持面部５１１と突板(突板部７１,７２,７３,７４)との間で後方へ向けて開口するよう設けられている。そして、左配線収容部８０Ｌは、後方開口を覆うように図柄表示装置１７が配設されることで、配線部材(配線部材Ｈ３,Ｈ４,Ｈ５,Ｈ６,Ｈ７)を内側に収容するように構成されている。なお、左配線収容部８０Ｌは、各突板部７１,７２,７３,７４の間の開放部分を通じて背面板５１の外側縁側(図５(ａ)における右方)へ向けて開放されている。すなわち、各突板部７１,７２,７３,７４の間の開放部分に挿通させた配線部材(配線部材Ｈ３,Ｈ４,Ｈ５,Ｈ６,Ｈ７)を、左配線収容部８０Ｌの内側から左中継基板３７Ａのコネクタ接続部ＣＮに接続し得るように構成されている。
【００３６】
すなわち、前記左配線収容部８０Ｌは、前記複数のコネクタ接続部ＣＮが前記連通口８１ａを通じて臨むように比較的大きな内側空間を画成する一方で、前記図柄表示装置１７を利用して配線部材(配線部材Ｈ３,Ｈ４,Ｈ５,Ｈ６,Ｈ７)を収容する空間を画成することで、該配線部材を保持するための構成が簡略化されている。なお、左中継基板３７Ａは、図柄表示装置１７の後面に取り付けられた前記演出制御基板３４と電気的に接続されており、演出制御基板３４と左中継基板３７Ａとを電気的に接続する配線部材(後述する第３配線部材Ｈ３)の端部が、左配線収容部８０Ｌの内側で左中継基板３７Ａのコネクタ接続部ＣＮに接続されている。
【００３７】
(右配線収容部について)
図３および図５(ａ)に示すように、前記背面板５１の前記第２側枠部５１Ｒには、前記右中継基板３７Ｂの後面に設けられたコネクタ接続部ＣＮに接続する配線部材(後述する第２配線部材Ｈ２)を収容可能な右配線収容部８０Ｒが設けられている。右配線収容部８０Ｒは、第２側枠部５１Ｒにおいて前記支持面部５１１と、第２側枠部５１Ｒの右側縁部(図５において背面板５１の左側に位置する側縁部)に設けられた外縁壁部５７との間に設けられ、前記図柄表示装置１７の前側に位置すると共に、前記収容空間５３に収容されている右中継基板３７Ｂの後方に位置している。ここで、右配線収容部８０Ｒは、前記図柄表示装置１７に対して前方へ離間して対向するよう設けられた連通壁部８１と、この連通壁部８１および支持面部５１１を段差状に接続する周壁部８２と、この周壁部８２に対向するよう後方へ延出する前記外縁壁部５７とにより構成され、連通壁部８１に形成された連通口８１ａを通じて、前記収容空間５３に配設された右中継基板３７Ｂの後面に設けたコネクタ接続部ＣＮを後方へ臨ませるようになっている。連通口８１ａは、右中継基板３７Ｂの後面における複数のコネクタ接続部ＣＮが設けられる領域に対応する大きさに形成されて、該複数のコネクタ接続部ＣＮを右配線収容部８０Ｒに臨ませるようになっている。なお、連通壁部８１は、第２側枠部５１Ｒに設けられる配線面部５１２に対して上方に連なるように設けられている。
【００３８】
図５(ａ)に示すように、前記右配線収容部８０Ｒは、支持面部５１１と前記外縁壁部５７との間で後方へ向けて開口するよう設けられている。そして、右配線収容部８０Ｒは、後方開口を覆うように図柄表示装置１７が配設されることで、配線部材(配線部材Ｈ２)を内側に収容するように構成されている。
【００３９】
すなわち、前記右配線収容部８０Ｒは、前記複数のコネクタ接続部ＣＮが前記連通口８１ａを通じて臨むように比較的大きな内側空間を画成する一方で、前記図柄表示装置１７を利用して配線部材(配線部材Ｈ２)を収容する空間を画成することで、該配線部材を保持するための構成が簡略化されている。なお、右中継基板３７Ｂは、前記配線面部５１２(具体的には、前記下枠部５１Ｕの後面)に設けられた前記統括中継基板３６を介して、図柄表示装置１７の後面に取り付けられた前記演出制御基板３４と電気的に接続されており、該右中継基板３７Ｂに接続する第２配線部材Ｈ２の端部が、右配線収容部８０Ｒの内側で右中継基板３７Ｂのコネクタ接続部ＣＮに接続されている。
【００４０】
図５(ｂ)に示すように、前記第２側枠部５１Ｒにおいて前記右配線収容部８０Ｒの下側に位置する前記配線面部５１２は、該右配線収容部８０Ｒに連通すると共に、配線部材(後述する第２配線部材Ｈ２)を挿通可能な前記挿通経路Ｒが設けられている。この挿通経路Ｒは、第２側枠部５１Ｒにおいて前記下側の固定支持部７８と前記支持面部５１１との間で上下に延在するよう設けられており、上端が右配線収容部８０Ｒの周壁部８２に開口して該右配線収容部８０Ｒと連通し、下端が配線面部５１２の後面側へ向けて開口するよう設けられている。すなわち、右配線収容部８０Ｒの下端に連通する挿通経路Ｒは、上下方向に延在して上下端部および後端部が開口する溝状に形成されており、前記右中継基板３７Ｂに設けられた前記コネクタ接続部ＣＮと接続する配線部材(第２配線部材Ｈ２)を、右配線収容部８０Ｒから下方の配線面部５１２へ向けて挿通させ、該配線面部５１２に配設された前記統括中継基板３６へ向けて取り回すことができるようになっている。
【００４１】
ここで、前記第２側枠部５１Ｒには、前記右配線収容部８０Ｒと連通する前記挿通経路Ｒに対応して、配線部材(後述する第２配線部材Ｈ２)を挿通経路Ｒに保持すると共に前記支持面部５１１からの延長上に設けられた延出片７９(配線保持部９０)が設けられている。具体的には、図５(ｂ)に示すように、前記支持面部５１１から前記固定支持部７８の後端部へ向けて延在する延出片７９と、固定支持部７８の後端部から支持面部５１１へ向けて延在する延出片７９とが設けられている。そして、各延出片７９が、挿通経路Ｒの一部として、配線部材(後述する第２配線部材Ｈ２)を保持する配線保持領域Ｒａを画成している。すなわち、第２側枠部５１Ｒに設けられた延出片７９は、挿通経路Ｒ(配線保持領域Ｒａ)と、前記図柄表示装置１７の設置領域５６とを区画するよう設けられている。なお、図３および図５(ａ)に示すように、前記上側の固定支持部７８および支持面部５１１の間にも、図示しない配線部材が挿通する挿通経路Ｒが設けられており、該配線部材を延出片７９で配線保持領域Ｒａに保持し得るようになっている。また、図３および図５(ａ)に示すように、前述した前記第１側枠部５１Ｌに設けられた挿通経路Ｒの下部(前記左配線収容部８０Ｌよりも下方に延在して前記下枠部５１Ｕの配線面部５１２の後側に連通する部分)と対応する位置にも、支持面部５１１の延長上に位置するよう延出片７９(配線保持部９０)が設けられている。
【００４２】
(配線部材Ｈ１〜Ｈ７,ＦＨについて)
図１０に示すように、前記演出制御基板３４は、第１配線部材Ｈ１によって前記統括中継基板３６と接続されている。統括中継基板３６は、第２配線部材Ｈ２によって前記右中継基板３７Ｂと接続されると共に、複数の配線部材や中継基板を介して、前記前枠１３に設けられた前記スピーカ１８および前記枠ランプ１９と電気的に接続されている。ここで、演出制御基板３４には、前記図柄表示装置１７の後面に取り付けられて前記設置領域５６の後側に位置すると共に、第１配線部材Ｈ１および第３配線部材Ｈ３の各コネクタが接続されるコネクタ接続部ＣＮが左側部に設けられている。これに対して、左中継基板３７Ａは、第３配線部材Ｈ３によって直接的に演出制御基板３４と接続され、右中継基板３７Ｂは、前記統括中継基板３６を介して(第１および第２配線部材Ｈ１,Ｈ２を介して)演出制御基板３４と電気的に接続されている。すなわち、演出制御基板３４の左側部と前後に重なる位置に設けられた左中継基板３７Ａは、演出制御基板３４に対して統括中継基板３６よりも近い位置にあることから、統括中継基板３６を経由せず、直接的に演出制御基板３４と配線接続されている。
【００４３】
また、図１０に示すように、前記左中継基板３７Ａおよび前記右中継基板３７Ｂは、前記収容空間５３に収容された前記可動演出部６０の構成部品としての複数の電気部品と電気的に接続されている。左中継基板３７Ａは、可動演出部６０を構成する電気部品のうち、左可動体６１Ｌに関して備えられた電気部品(接続基板４０、駆動手段６２および原位置センサ６３)と配線接続されている。具体的に、左中継基板３７Ａは、第４配線部材Ｈ４によって接続基板４０と接続されている。この接続基板４０は、前記ベース画壁部６７によって保持された配線部材ＦＨによって発光基板６４と接続されている。なお、左可動体６１Ｌに設けられたサブ画像表示部６５は、発光基板６４と共通の配線部材ＦＨによって接続基板４０と接続されているが、該接続基板４０に配線接続された前記表示制御基板３５によって表示内容が制御されるようになっている。また、左中継基板３７Ａは、第５配線部材Ｈ５によって駆動手段６２と接続され、第６配線部材Ｈ６によって原位置センサ６３と接続されている。更に、左中継基板３７Ａは、可動演出部６０とは別の演出手段の一部として収容空間５３に設けられた前記他の電気部品６９に対して、第７配線部材Ｈ７を介して電気的に接続されている。
【００４４】
ここで、実施例の第１〜第７配線部材Ｈ１,Ｈ２,Ｈ３,Ｈ４,Ｈ５,Ｈ６,Ｈ７は、銅合金等からなる素線を塩化ビニル等の絶縁体で被覆して形成される電線(配線)を複数本束ねた、所謂ワイヤハーネスが用いられており、第１〜第７配線部材Ｈ１,Ｈ２,Ｈ３,Ｈ４,Ｈ５,Ｈ６,Ｈ７を捻じったり、曲げたりして変形した際に、絶縁体の弾性等により、変形部位近傍において形状を復元する力が作用するように構成されている。
【００４５】
前記右中継基板３７Ｂは、前記可動演出部６０において前記右可動体６１Ｒに関して備えられた電気部品の一部(電気部品４０,６２,６３,６４)や、可動演出部６０とは別の演出手段の一部として前記収容空間５３に設けられた電気部品(図示せず)と接続されている。この右中継基板３７Ｂは、統括中継基板３６を介して演出制御基板３４と接続されている点以外は、左中継基板３７Ａと同様の配線構造となっている(すなわち、接続基板、駆動手段および原位置センサと配線接続されている)。従って、右中継基板３７Ｂの配線接続構造に関する説明は省略する。
【００４６】
(配線部材Ｈ４,Ｈ５,Ｈ６,Ｈ７を背面板５１の後側へ挿通させる構成について)
前記収容空間５３に収容された電気部品４０,６２,６３,６９と、前記左中継基板５７Ａとを接続する第４〜第７配線部材Ｈ４,Ｈ５,Ｈ６,Ｈ７は、一端側のコネクタが、収容空間５３に収容された電気部品４０,６２,６３,６９に対して前記可動演出部６０の前面側で接続されると共に、他端側のコネクタが、収容空間５３において可動演出部６０の後側に配設された左中継基板５７Ａのコネクタ接続部ＣＮに対して背面板５１の後側で接続されている。これらの配線部材Ｈ４,Ｈ５,Ｈ６,Ｈ７のうち一部(配線部材Ｈ４,Ｈ７)は、電気部品４０,６９および左中継基板３７Ａを接続する状態では、前述の如く可動演出部６０に設けられた前記ベース画壁部６７と、前記左側の外周板５２との間に画成される前記隙間５４を通過すると共に、背面板５１に設けられた配線挿通部８５ａを挿通するようになっている。
【００４７】
ここで、前記設置部材５０には、前記収容空間５３の内外(前後)に貫通する前記配線挿通部８５ａ,８６ａが前記背面板(配設板部)５１に形成されると共に、配線挿通部８５ａ,８６ａに連通する配線誘導部８５ｂ,８６ｂと、該配線挿通部８５ａ,８６ａに連通するコネクタ受入部８５ｃ,８６ｃとが前記左側の外周板(交差板部)５２に形成され、配線挿通部８５ａ,８６ａ、配線誘導部８５ｂ,８６ｂおよびコネクタ受入部８５ｃ,８６ｃが相互に連通する長孔状の配線開口８５,８６が設けられている。そして、配線開口８５,８６の前端側に位置するコネクタ受入部８５ｃ,８６ｃが、該コネクタ受入部８５ｃ,８６ｃに対応する第４〜第７配線部材Ｈ４,Ｈ５,Ｈ６,Ｈ７の何れかにおける他端側のコネクタを挿通可能な大きさに設けられており、収容空間５３からコネクタ受入部８５ｃ,８６ｃを介して左側の外周板５２の外側(左側)に他端側のコネクタを引き出した配線部材Ｈ４,Ｈ５,Ｈ６,Ｈ７を、配線誘導部８５ｂ,８６ｂを介して、背面板５１に設けられて配線開口８５,８６の後端に位置する配線挿通部８５ａ,８６ａまで移動させ得るように構成されている。
【００４８】
具体的に、前記設置部材５０の上部には、第４および第７配線部材Ｈ４,Ｈ７を外部に挿通させるための上配線開口８５が設けられている。上配線開口８５は、前記コネクタ受入部８５ｃが前記左側の外周板５２に設けられると共に、前記配線挿通部８５ａが、左側の外周板５２と連なる前記背面板５１の外縁部(前記第１側枠部５１Ｌにおける前記外縁壁部の前記表示用開口５１ａ側に沿う位置)に設けられている。そして、前記配線誘導部８５ｂが、コネクタ受入部８５ｃと配線挿通部８５ａとを連通するよう左側の外周板５２から背面板５１に亘って設けられている。すなわち、上配線開口８５が設けられることにより、前記収容空間５３において一端側のコネクタを電気部品４０,６９に接続した第４および第７配線部材Ｈ４,Ｈ７を、コネクタ受入部８５ｃから左側の外周板５２の外側(左側)へ引き出したもとで、設置部材５０の外面側で後方へ引っ張って配線誘導部８５ｂに沿って移動させ、配線挿通部８５ａまで至らせることができるようになっている。なお、配線挿通部８５ａは、第４および第７配線部材Ｈ４,Ｈ７におけるコネクタを除く配線部分を同時に通過させ得る大きさに形成されており(図６参照)、前記左中継基板３７Ａのコネクタ接続部ＣＮに他端側のコネクタを接続した状態の第４および第７配線部材Ｈ４,Ｈ７を共通の配線挿通部８５ａに位置させて纏めておくことができるようになっている。ここで、配線誘導部８５ｂおよび配線挿通部８５ａは、第４および第７配線部材Ｈ４,Ｈ７のコネクタを挿通し得ない大きさに形成され、コネクタ受入部８５ｃを通じて左側の外周板５２の外側へ引き出した第４および第７配線部材Ｈ４,Ｈ７のコネクタが配線誘導部８５ｂや配線挿通部８５ａから収容空間５３側へ戻ることがないように構成されている。
【００４９】
前記上配線開口８５は、図４に示すように、前記収容空間５３において前記左側の外周板５２に沿う位置に設けられた前記ベース画壁部６７のうち前記離間板部６７ｂと対向する位置に前記コネクタ受入部８５ｃが設けられている。すなわち、第４および第７配線部材Ｈ４,Ｈ７は、左側の外周板５２と離間板部６７ｂとの間に比較的広く形成された前記隙間５４を通じて収容空間５３側からコネクタ受入部８５ｃに挿通させることができるようになっており、第４および第７配線部材Ｈ４,Ｈ７を取り回す際の作業性が高められている。
【００５０】
また、前記設置部材５０における上下方向の中央部には、第５および第６配線部材Ｈ５,Ｈ６を外部に挿通させるための下配線開口８６が設けられている。下配線開口８６は、前記コネクタ受入部８６ｃが前記左側の外周板５２に設けられると共に、前記配線挿通部８６ａが、左側の外周板５２と連なる前記背面板５１の外縁部(前記第１側枠部５１Ｌにおける前記外縁壁部の前記表示用開口５１ａ側に沿う位置)に設けられている。そして、前記配線誘導部８６ｂが、コネクタ受入部８６ｃと配線挿通部８６ａとを連通するよう左側の外周板５２から背面板５１に亘って設けられている。すなわち、下配線開口８６が設けられることにより、前記収容空間５３において一端側のコネクタを電気部品６２,６３に接続した第５および第６配線部材Ｈ５,Ｈ６を、コネクタ受入部８６ｃから左側の外周板５２の外側(左側)へ引き出したもとで、設置部材５０の外面側で後方へ引っ張って配線誘導部８６ｂに沿って移動させ、配線挿通部８６ａまで至らせることができるようになっている。なお、配線挿通部８６ａは、第５および第６配線部材Ｈ５,Ｈ６におけるコネクタを除く配線部分を同時に通過させ得る大きさに形成されており(図６参照)、前記左中継基板３７Ａのコネクタ接続部ＣＮに他端側のコネクタを接続した状態の第５および第６配線部材Ｈ５,Ｈ６を共通の配線挿通部８６ａに位置させて纏めておくことができるようになっている。ここで、配線誘導部８６ｂおよび配線挿通部８６ａは、第５および第６配線部材Ｈ５,Ｈ６のコネクタを挿通し得ない大きさに形成され、コネクタ受入部８６ｃを通じて左側の外周板５２の外側へ引き出した第５および第６配線部材Ｈ５,Ｈ６のコネクタが配線誘導部８６ｂや配線挿通部８６ａから収容空間５３側へ戻ることがないように構成されている。
【００５１】
前記下配線開口８６は、図４に示すように、前記収容空間５３において前記左側の外周板５２に沿う位置に設けられた前記ベース画壁部６７のうち前記垂直板部６７ａと対向する位置に前記コネクタ受入部８６ｃが設けられており、該垂直板部６７ａおよび外周板５２の間の隙間は、離間板部６７ｂおよび外周板５２の間の隙間(前記隙間５４)よりも小さくなっている。ここで、下配線開口８６には、図４に示すように、コネクタ受入部８６ｃに後端が連通すると共に前端が外周板５２の前縁部に開口する配線受入部８６ｄが設けられており、前記設置部材５０の前側開口を通じて外側に引き出した第５および第６配線部材Ｈ５,Ｈ６を、コネクタを挿通させることなく両端のコネクタを繋ぐ配線部分を挿通させて、該配線受入部８６ｄからコネクタ受入部８６ｃおよび配線誘導部８６ｂを通じて配線挿通部８６ａに移動させ得るように構成されている。なお、配線受入部８６ｄは、図７に示すように、前記排出路形成部材６８が設置部材５０の前端部に配設された場合に該排出路形成部材６８によって前側から塞がれる位置に設けられている。これに対し、下配線開口８６は、配線誘導部８６ｂおよびコネクタ受入部８６ｃの両方が設けられることにより、配線受入部８６ｄの前側開口が排出路形成部材６８に塞がれた状態では、該排出路形成部材６８および前記設置部材５０を分解することなく、第５および第６配線部材Ｈ５,Ｈ６をコネクタ受入部８６ｃから引き出して配線挿通部８６ａまで移動させることができる。すなわち、第５および第６配線部材Ｈ５,Ｈ６は、コネクタ受入部８６ｃから外側へ引き出したもとで配線挿通部８６ａへ向けて移動させることができると共に、設置部材５０の前側開口から外側へ引き出したもとで配線受入部８６ｄに受け入れて、配線挿通部８６ａへ向けて移動させることができるようになっていることで、第５および第６配線部材Ｈ５,Ｈ６を取り回す際の作業性が高められている。
【００５２】
(背面板５１の後側での配線部材Ｈ１〜Ｈ７の取り回しについて)
前述したように、前記背面板５１の後面(前記第１側枠部５１Ｌの後面)に設けられる係合支持部７０には、第１側枠部５１Ｌから後方へ向けて延出すると共に上下方向に延在する壁状の第１〜第４突板部７１,７２,７３,７４が、延在方向に離間して並ぶよう設けられている。ここで、第１側枠部５１Ｌにおける前記配線面部５１２(すなわち、左配線収容部８０Ｌと同一平面上で連なる部分)の後面には、複数の配線部材Ｈ１,Ｈ３〜Ｈ７が取り回されるようになっており、図６に示すように、複数の配線部材Ｈ１,Ｈ３〜Ｈ７のうち第１、第３および第４配線部材Ｈ１,Ｈ３,Ｈ４が、第１〜第４突板部７１,７２,７３,７４に沿って前記左配線収容部８０Ｌの外側で上下方向に延在するよう取り回されている。また第５、第６および第７配線部材Ｈ５,Ｈ６,Ｈ７は、図６に示すように、配線部材Ｈ１,Ｈ３,Ｈ４の延在方向(上下方向)に対する交差方向(左右方向)に延在して第１配線部材Ｈ１や第３配線部材Ｈ３と交わるよう取り回されている。なお、前記右中継基板３７Ｂに接続された第２配線部材Ｈ２は、前記右配線収容部８０Ｒおよび該右配線収容部８０Ｒに連通する挿通経路Ｒを通じて前記下枠部５１Ｕの後側(前記配線面部５１２の後側)に延在して、前記統括中継基板３６に接続される。
【００５３】
前記第１〜第３突板部７１,７２,７３および前記下側の係合凹部７５には、前述したように、配線部材Ｈ１,Ｈ３,Ｈ４を保持するための前記配線保持部９０が設けられている。これらの配線保持部９０(突板部７１,７２,７３および下側の係合凹部７５に設けられた配線保持部９０)は、図６に示すように、第１、第３および第４配線部材Ｈ１,Ｈ３,Ｈ４のうち少なくとも何れかを保持するものであり、配線部材Ｈ１,Ｈ３,Ｈ４の延在方向(上下方向)に離間して複数設けられている。この配線保持部９０は、第１〜第４突板部７１,７２,７３の延出端面(後端面)および下側の係合凹部７５の後端面から延出するように設けられ、該突板部７１,７２,７３および下側の係合凹部７５を左右方向に挟んで前記図柄表示装置１７の前記設置領域５６とは反対側に延在している。このように、配線保持部９０は、前記係合支持部７０において支持面７５ａ(すなわち、係合凹部７５が支持する部分)とは異なる壁面７０ａに設けられることで、図柄表示装置１７との干渉が回避されている。
【００５４】
図８に示すように、前記係合支持部７０(第１〜第３突板部７１,７２,７３および下側の係合凹部７５)に設けられる前記配線保持部９０は、前記突板部７１,７２,７３の延出端面(後端面)および下側の係合凹部７５の後端面から前記設置領域５６と反対側に延出する第１の規制片９１と、該第１の規制片９１の延出端から第１側枠部５１Ｌの後面(背面板５１の後面)が位置する前側へ延出する第２の規制片９２と、により構成されている。そして、配線保持部９０における第１の規制片９１および第２の規制片９２と、係合支持部７０(具体的には、設置領域５６とは反対側の側面)とにより、第１、第３および第４配線部材Ｈ１,Ｈ３,Ｈ４のうち少なくとも何れかが挿通する複数の配線保持領域Ｒａが画成されている。すなわち、配線部材Ｈ１,Ｈ３,Ｈ４は、複数または１つの配線保持領域Ｒａを挿通する状態で配線保持部９０により保持されるようになっている。ここで、第１の規制片９１および第２の規制片９２は、配線保持領域Ｒａに保持された配線部材Ｈ１,Ｈ３,Ｈ４と、設置領域５６が位置する側(すなわち、配線保持領域Ｒａの外側)との間に延在しており、配線部材Ｈ１,Ｈ３,Ｈ４が設置領域５６側へ離脱して図柄表示装置１７と接触するのを防いでいる。
【００５５】
図７および図８に示すように、前記第１側枠部５１Ｌにおける前記配線面部５１２の後面には、前記係合支持部７０(突板部７１,７２,７３および下側の係合凹部７５)に対して前記設置領域５６とは反対側へ向けて離間する位置に、第１側枠部５１Ｌから後方へ向けて延出すると共に上下方向に延在する対向壁部９５が設けられている。この対向壁部９５は、前記配線保持部９０が位置する範囲Ｚ(図７参照)よりも上方または下方へ向けて大きく形成されている。対向壁部９５は、前記複数の突板部７１,７２,７３,７４に対応して複数設けられており、延在方向(上下方向)に離間して一列に並んでいる。これら複数の対向壁部９５のうちで上側に位置する対向壁部９５は、第１突板部７１と左右に対向して、第１側枠部５１Ｌの後面において前記上枠部５１Ｔと同じ高さ位置に位置するよう設けられると共に、下側に位置する対向壁部９５は、第４突板部７４と左右に対向して、第１側枠部５１Ｌの後面において前記表示用開口５１ａの下端部と同じ高さ位置に位置するよう設けられている。そして、上側に位置する対向壁部９５と、下側に位置する対向壁部９５との間には、２つの対向壁部９５が第２突板部７２および第３突板部７３に夫々対向するよう設けられている。
【００５６】
図６に示すように、前記複数の対向壁部９５は、前記配線保持領域Ｒａに保持した第１、第３および第４配線部材Ｈ１,Ｈ３,Ｈ４の挿通経路Ｒを、前記第１〜第４突板部７１,７２,７３,７４(係合支持部７０)との間に画成している。すなわち、前記第１側枠部５１Ｌの後面には、図８に示すように、前記突板部７１,７２,７３,７４と前記対向壁部９５とが左右に離間して対向し、かつ、左右に対向する突板部７１,７２,７３,７４および対向壁部９５の組み合わせが、上下方向に複数組並ぶように設けられることで、上下に延在する１つの挿通経路Ｒが設けられている。そして、挿通経路Ｒの複数箇所に設けられる前記配線保持領域Ｒａにおいて前記配線保持部９０が配線部材Ｈ１,Ｈ３,Ｈ４を保持するように構成されている。ここで、挿通経路Ｒは、上下に隣接する突板部７１,７２,７３,７４の間が、前記設置領域５６側(前記左配線収容部８０Ｌ側)へ向けて開放されていると共に、上下に隣接する対向壁部９５の間が、前記設置領域５６とは反対側(前記外縁壁部５７側)へ向けて開放されている(図６参照)。このように挿通経路Ｒにおいて延在方向(上下方向)とは異なる側(左右方向)に開放された部分は、挿通経路Ｒを横断するよう第５、第６および第７配線部材Ｈ５,Ｈ６,Ｈ７を取り回す際の挿通口として利用されると共に、挿通経路Ｒを挿通する第３および第４配線部材Ｈ３,Ｈ４を左配線収容部８０Ｌへ向けて引き出すための引出口として利用されている。
【００５７】
前記複数の対向壁部９５の延出端部は、図７に示すように、側面視において前記配線保持部９０の第２の規制片９２と重なる領域がＵ字状(またはＬ字状)に切り欠かれており、これによって対向壁部９５には、第１側枠部５１Ｌからの延出寸法が小さい部分(第１対向部９６)と、延出寸法が大きい部分(第２対向部９７)とが設けられている。すなわち、対向壁部９５は、図８(ａ)に示すように、上下位置において配線保持部９０(第２の規制片９２)と同じ高さ位置にある第１対向部９６の延出寸法Ｌ２が小さく、該第１対向部９６と第２の規制片９２とは前後方向において相互に離間している。また、上下位置において第２の規制片９２よりも上側または下側に位置する第２対向部９７は延出寸法Ｌ３が大きく、第２の規制片９２の上縁または下縁に対向するよう設けられている。ここで、前記第２の規制片９２における前記第１側枠部５１Ｌに対する後方への離間寸法Ｌ１は、第１側枠部５１Ｌから後方へ向けた前記第１対向部９６の延出寸法Ｌ２よりも大きく、かつ第１側枠部５１Ｌから後方へ向けた第２対向部９７の延出寸法Ｌ３よりも小さく設定されている。このように、各対向壁部９５は、配線保持部９０の形成位置に対応する位置に設けられた第１対向部９６が、第２の規制片９２と第１側枠部５１Ｌの後面との間の隙間を縮小するよう設けられると共に、配線保持部９０の形成位置から第１および第３配線部材Ｈ１,Ｈ３の延在方向に偏倚した位置に設けられた第２対向部９７における第１側枠部５１Ｌ(設置部材５０)からの延出寸法(突出寸法)Ｌ３が、第１対向部９６の延出寸法(突出寸法)Ｌ２よりも大きくなるよう設けられている。これにより、第１、第３および第４配線部材Ｈ１,Ｈ３,Ｈ４を、前記対向壁部９５(第１対向部９６および第２対向部９７)と第２の規制片９２との間から前記配線保持領域Ｒａに挿入し得ると共に、第１、第３および第４配線部材Ｈ１,Ｈ３,Ｈ４が配線保持領域Ｒａから外側へ離脱するのを防ぎ得るように構成されている。
【００５８】
また、前記対向壁部９５は、図８(ｂ)に示すように、前記配線保持部９０における前記第２の規制片９２よりも前記突板部７１,７２,７３,７４(係合支持部７０)から僅かに離間する位置に設けられている。すなわち、第２の規制片９２と対向壁部９５とを左右方向にずらして設け、該第２の規制片９２および対向壁部９５の間の隙間が後方へ開放するよう構成することにより、第１、第３および第４配線部材Ｈ１,Ｈ３,Ｈ４を前記設置部材５０の後方から前記配線保持領域Ｒａに挿入する際の作業性が高められている。
【００５９】
図６および図８(ａ)に示すように、前記第１側枠部５１Ｌに設けられる前記配線面部５１２には、前記係合支持部７０と前記対向壁部９５との間に、前後に貫通する逃げ孔９９が形成されている。逃げ孔９９は、第１側枠部５１Ｌにおいて前記配線保持部９０の前方に位置する部分に設けられ、該配線保持部９０および係合支持部７０(突板部７１,７２,７３および下側の係合凹部７５)により形成される前記配線保持領域Ｒａに開口している。すなわち、配線保持領域Ｒａを挿通する第１、第３および第４配線部材Ｈ１,Ｈ３,Ｈ４は、配線保持部９０によって後方への変位が規制された状態で、前方に開口する逃げ孔９９の内側への変位は許容される。これにより、配線保持領域Ｒａに挿通させる配線部材Ｈ１,Ｈ３,Ｈ４が該配線保持領域Ｒａの全域を占有する程度に大きな幅寸法に設けられた場合においても、配線保持部９０にかかる負荷を軽減することができ、該幅寸法のある配線部材を配線保持領域Ｒａに保持することができるようになっている。
【００６０】
前述したように、前記第１〜第４突板部７１,７２,７３,７４に沿って上下方向に延在する第１、第３および第４配線部材Ｈ１,Ｈ３,Ｈ４は、第１〜第３突板部７１,７２,７３および下側の係合凹部７５の夫々に設けられた配線保持部９０(後述)のうち少なくとも１つによって保持されている。また、左右方向に延在する第５および第６配線部材Ｈ５,Ｈ６は、第３および第４突板部７３,７４に設けられた各配線保持部９０に保持された第１配線部材Ｈ１と、第１側枠部５１Ｌの後面との間で、第３および第４突板部７３,７４に設けられた各配線保持部９０の間を通過するよう設けられ、第１配線部材Ｈ１を利用して第１側枠部５１Ｌの後面に沿う位置に保持されている。更に、左右方向に延在する第７配線部材Ｈ７は、第１および第２突板部７１,７２に設けられた各配線保持部９０に保持された第３配線部材Ｈ３と、第１側枠部５１Ｌの後面との間で、第１および第２突板部７１,７２に設けられた各配線保持部９０の間を通過するよう設けられ、第３配線部材Ｈ３を利用して第１側枠部５１Ｌの後面に沿う位置に保持されている。
【００６１】
ここで、前記第３配線部材(所定の配線部材)Ｈ３は、図９に示すように、前記配線保持領域Ｒａにおいて、配線保持部９０側へ向けて変位しようとする力Ｆ１,Ｆ２が作用することで付勢された状態で、該配線保持部９０により保持されている。そして、該変位しようとする力Ｆ１,Ｆ２によって、第３配線部材Ｈ３および配線保持部９０(第１の規制片９１)の間に、他の配線部材(具体的には、第１配線部材Ｈ１や第４配線部材Ｈ４)を挟持するようになっている。
【００６２】
具体的に、前記第３配線部材Ｈ３は、図６に示すように、前記第２突板部７２および前記第３突板部７３の間の開放部分(引出口)から前記挿通経路Ｒの側方へ引き出された一端側のコネクタが、該開放部分(引出口)と左右に並ぶ前記左中継基板３７Ａのコネクタ接続部ＣＮに対して接続されている。このコネクタ接続部ＣＮは、前記第３突板部７３に設けられた配線保持部９０に対して比較的近い位置に設けられている。ここで、第３配線部材Ｈ３が、左中継基板３７Ａに設けたコネクタ接続部ＣＮに対する接続方向(前後方向)と交差する向き(側方かつ上方)に捻じるように撓ませた状態(図９(ａ)参照)で、第２突板部７２に設けられた配線保持部９０によって画成された各配線保持領域Ｒａを挿通する(図９(ｂ)参照)ことで、第３配線部材Ｈ３が自身の撓みにより復元する力Ｆ１(図９(ａ)(ｂ)参照)が生じるようにしている。これにより、第３配線部材Ｈ３と、第２突板部７２に設けられた配線保持部９０との間に挿通された第１配線部材Ｈ１に対して、第３配線部材Ｈ３の復元力Ｆ１が作用して、第３配線部材Ｈ３および配線保持部９０の間に第１配線部材Ｈ１を挟持し得るようになっている。
【００６３】
また、前記第３配線部材Ｈ３は、前記第１配線部材Ｈ１を構成する配線の数よりも多数の配線により構成されていることで、自身の撓みにより生じる復元力Ｆ１によって効果的に第１配線部材Ｈ１を配線保持領域Ｒａに保持し得るようになっている。なお、第３配線部材Ｈ３と、前記第１突板部７１に設けられた配線保持部９０との間に挿通された第４配線部材Ｈ４に対しても、第３配線部材Ｈ３の撓みによる復元力Ｆ１が作用するようになっている。
【００６４】
前記第１側枠部５１Ｌの後面側には、図６および図９(ｃ)に示すように、第１、第３および第４配線部材Ｈ１,Ｈ３,Ｈ４とは別に、これらの配線部材Ｈ１,Ｈ３,Ｈ４が延在する上下方向と交差する左右方向へ延在する前記第７配線部材Ｈ７が配設されている。この第７配線部材Ｈ７は、前述したように第３配線部材Ｈ３と第１側枠部５１Ｌ(設置部材５０)の後面との間に位置している。すなわち、該第３配線部材Ｈ３と第１側枠部５１Ｌの後面との間に第７配線部材Ｈ７が介在することによって、該第７配線部材Ｈ７が位置する分だけ第３配線部材Ｈ３が第１側枠部５１Ｌから後方へ離間し、該第３配線部材Ｈ３が、第１突板部７１および第２突板部７２に設けられた各配線保持部９０との近接位置を挿通することとなり、この第３配線部材Ｈ３と、各配線保持部９０との間に第１および第４配線部材Ｈ１,Ｈ４が位置して該第３配線部材Ｈ３を第１側枠部５１Ｌ側(各配線保持部９０とは反対側)に撓ませることで、該撓みにより生じる復元力Ｆ２(図９(ｃ)(ｄ)参照)によって効果的に第１および第４配線部材Ｈ１,Ｈ４を配線保持領域Ｒａに保持し得るようになっている。すなわち、前記左中継基板３７Ａのコネクタ接続部ＣＮとの接続位置から離れ、第３配線部材Ｈ３の前記復元力Ｆ１が小さくなる部分では、第７配線部材Ｈ７の存在によって第３配線部材Ｈ３に生じさせた復元力Ｆ２によって、第３配線部材Ｈ３および配線保持部９０の間に第１および第４配線部材Ｈ１,Ｈ４を保持し得るようになっている。なお、第７配線部材Ｈ７は、第３配線部材Ｈ３と第１側枠部５１Ｌ(設置部材５０)の後面との間で挿通経路Ｒを横切るように配設されることで、第１突板部７１に設けられた配線保持部９０と、第２突板部７２に設けられた配線保持部９０との間に保持されている。
【００６５】
また、前記第１側枠部５１Ｌの後面側には、図６に示すように、第１配線部材Ｈ１、第３配線部材Ｈ３および第４配線部材Ｈ４とは別に、これらの配線部材Ｈ１,Ｈ３,Ｈ４が延在する上下方向と交差する左右方向へ延在する前記第５配線部材Ｈ５および前記第６配線部材Ｈ６が配設されている。これら第５および第６配線部材Ｈ５,Ｈ６は、第１配線部材Ｈ１と第１側枠部５１Ｌ(設置部材５０)の後面との間に位置して、前記挿通経路Ｒを横切るように配設されている。すなわち、第５および第６配線部材Ｈ５,Ｈ６の存在によって、第３および第４突板部７３,７４に設けられた各配線保持部９０側へ向けて第１配線部材Ｈ１を変位させる力が生じており、当該変位させる力により、第１配線部材Ｈ１が配線保持領域Ｒａに保持されている。なお、第５および第６配線部材Ｈ５,Ｈ６は、第１配線部材Ｈ１と第１側枠部５１Ｌ(設置部材５０)の後面との間で挿通経路Ｒを横切るように配設されることで、第３突板部７３に設けられた配線保持部９０と、第４突板部７４に設けられた配線保持部９０との間に保持されている。
【００６６】
〔実施例の作用〕
次に、前述のように構成された実施例に係るパチンコ機１０の作用につき説明する。
【００６７】
実施例のパチンコ機１０は、内側に収容空間５３を画成する設置部材(空間画成部材)５０を備えており、該収容空間５３の後端側(具体的には、背面板５１と可動ベース部材６０ｘとの間)には、演出制御基板３４と、収容空間５３内に位置する複数の電気部品(接続基板４０、駆動手段６２、原位置センサ６３、他の電気部品６９等)との電気的な接続を中継する左中継基板３７Ａが配設される。そして、収容空間５３内から設置部材５０の外側に挿通する第４〜第７配線部材Ｈ４,Ｈ５,Ｈ６,Ｈ７のコネクタは、左中継基板３７Ａの後面に設けられたコネクタ接続部ＣＮに対して設置部材５０の外側で着脱される。
【００６８】
ここで、設置部材５０は、左中継基板３７Ａのコネクタ接続部ＣＮが位置する背面板５１と、該背面板５１に対して交差する上下および左右の外周板５２とによって収容空間５３を画成するものであり、背面板５１には、収容空間５３の内外に貫通する配線挿通部８５ａ,８６ａが設けられ、左側の外周板５２には、配線挿通部８５ａ,８６ａに連通する配線誘導部８５ｂ,８６ｂと、この配線誘導部８５ｂ,８６ｂと連通すると共に第４〜第７配線部材Ｈ４,Ｈ５,Ｈ６,Ｈ７のコネクタを挿通可能なコネクタ受入部８５ｃ,８６ｃとが設けられている。そして、第４〜第７配線部材Ｈ４,Ｈ５,Ｈ６,Ｈ７のコネクタを収容空間５３内から設置部材５０の外側に挿通する場合には、コネクタ受入部８５ｃ,８６ｃを介して設置部材５０の外周側(外側)へと引き出したもとで、該配線部材Ｈ４,Ｈ５,Ｈ６,Ｈ７を配線誘導部８５ｂ,８６ｂを介して配線挿通部８５ａ,８６ａまで移動させ、該配線挿通部８５ａ,８６ａを挿通する状態とした第４〜第７配線部材Ｈ４,Ｈ５,Ｈ６,Ｈ７のコネクタを、左中継基板３７Ａのコネクタ接続部ＣＮに接続する。すなわち、第４〜第７配線部材Ｈ４,Ｈ５,Ｈ６,Ｈ７を、収容空間５３からコネクタ受入部８５ｃ,８６ｃを介して左側の外周板５２の外側に引き出したもとで、配線誘導部８５ｂ,８６ｂから配線挿通部８５ａ,８６ａへと移動させて左中継基板３７Ａのコネクタ接続部ＣＮに接続させることができるから、第４〜第７配線部材Ｈ４,Ｈ５,Ｈ６,Ｈ７を配線挿通部８５ａ,８６ａに直接挿通させる必要がない。すなわち、収容空間５３に収容される可動演出部６０等の部材が邪魔となって第４〜第７配線部材Ｈ４,Ｈ５,Ｈ６,Ｈ７の配線接続作業が困難となるのを防ぐことができる。
【００６９】
配線挿通部８５ａ,８６ａは、背面板５１における左側の外周板５２と連なる外縁部(具体的には、設置部材５０に設けられた外縁壁部５７に沿う位置)に位置するよう形成されているから、コネクタ受入部８５ｃ,８６ｃを介して左側の外周板５２の外側に引き出した第４〜第７配線部材Ｈ４,Ｈ５,Ｈ６,Ｈ７を、配線誘導部８５ｂ,８６ｂを介して配線挿通部８５ａ,８６ａまで容易に移動させることができる。また、上配線開口８５の配線挿通部８５ａは、第４配線部材Ｈ４および第７配線部材Ｈ７を同時に通過させ得る大きさに形成されており、下配線開口８６の配線挿通部８６ａは、第５配線部材Ｈ５および第６配線部材Ｈ６を同時に通過させ得る大きさに形成されている。すなわち、複数の配線部材Ｈ４,Ｈ５,Ｈ６,Ｈ７で配線挿通部８５ａ,８６ａを兼用し得るから、設置部材５０の構成の複雑化を防止することができる。
【００７０】
なお、実施例の配線挿通部８５ａ,８６ａおよび配線誘導部８５ｂ,８６ｂは、第４〜第７配線部材Ｈ４,Ｈ５,Ｈ６,Ｈ７のコネクタを挿通し得ない大きさに形成されている。これにより、第４〜第７配線部材Ｈ４,Ｈ５,Ｈ６,Ｈ７をコネクタ受入部８５ｃ,８６ｃを介して左側の外周板５２の外側に引き出したもとで該コネクタ受入部８５ｃ,８６ｃから配線挿通部８５ａ,８６ａまで移動させる途中において、第４〜第７配線部材Ｈ４,Ｈ５,Ｈ６,Ｈ７のコネクタが配線挿通部８５ａ,８６ａや配線誘導部８５ｂ,８６ｂを介して収容空間５３側に移動するのを防ぐことができる。
【００７１】
また、上配線開口８５には、コネクタ受入部８６ｃに後端が連通すると共に前端が左側の外周板５２の前縁部に開口する配線受入部８６ｄが設けられている。そして、配線受入部８６ｄの前側開口を塞ぐように排出路形成部材６８が設置部材５０に取り付けられる。このような構成において、設置部材５０に設けられた配線受入部８６ｄの開口が排出路形成部材６８で塞がれた状態では、設置部材５０および排出路形成部材６８を分解することなくコネクタ受入部８６ｃを介して左側の外周板５２の外側へ第５および第６配線部材Ｈ５,Ｈ６を引き出すことができる。また、配線受入部８６ｄの前側開口を排出路形成部材６８で塞ぐ前の状態では、配線受入部８６ｄの前側開口から第５および第６配線部材Ｈ５,Ｈ６を直接挿入して配線挿通部８６ａまで移動させることができるから、コネクタ受入部８６ｃに第５および第６配線部材Ｈ５,Ｈ６のコネクタを挿通させる必要がなく、配線接続作業をより簡易にすることができる。
【００７２】
ここで、背面板５１の後面で左右方向に延在するよう取り回される第５〜第７配線部材Ｈ５,Ｈ６,Ｈ７とは別の配線部材として、第１および第３配線部材Ｈ１,Ｈ３が背面板５１の後面側に取り回されるようになっており、該背面板５１には、第１および第３配線部材Ｈ１,Ｈ３が挿通する配線保持領域Ｒａを背面板５１との間に画成する配線保持部９０が複数設けられている。そして、第５〜第７配線部材Ｈ５,Ｈ６,Ｈ７は、背面板５１と第１および第３配線部材Ｈ１,Ｈ３との間に、該第１および第３配線部材Ｈ１,Ｈ３と交差する方向に延在して複数の配線保持部９０の間を通過するよう配設される。すなわち、配線保持領域Ｒａを挿通する第１および第３配線部材Ｈ１,Ｈ３が、該第１および第３配線部材Ｈ１,Ｈ３と交差する左右方向に延在する第５〜第７配線部材Ｈ５,Ｈ６,Ｈ７の存在によって背面板５１から離間する側(配線保持部９０側)へ近接するから、該第１および第３配線部材Ｈ１,Ｈ３を配線保持部９０で確実に保持することができる。また、第５〜第７配線部材Ｈ５,Ｈ６,Ｈ７が第１および第３配線部材Ｈ１,Ｈ３の延在方向に変位するのを複数の配線保持部９０によって規制することができる。
【００７３】
また、実施例のパチンコ機１０は、設置部材５０に設けられた係合支持部７０および固定支持部７８によって図柄表示装置１７を背面板５１の後面側に支持するものであり、係合支持部７０における図柄表示装置１７を支持する支持面７５ａとは異なる壁面７０ａ(具体的には、第１〜第４突板部７１,７２,７３の延出端面と、下側の係合凹部７５における後端面)に、第１、第３および第４配線部材Ｈ１,Ｈ３,Ｈ４を保持する配線保持部９０が、該配線部材Ｈ１,Ｈ３,Ｈ４の延在方向(上下方向)に離間して複数設けられている。そして、配線部材Ｈ１,Ｈ３,Ｈ４は、これら複数の配線保持部９０によって図柄表示装置１７の設置領域５６の外側に保持される。すなわち、図柄表示装置１７を設置領域５６に支持する係合支持部７０に配線保持部９０を設けることで、設置領域５６の近傍に第１、第３および第４配線部材Ｈ１,Ｈ３,Ｈ４を取り回し得る。また、係合支持部７０を利用して配線保持部９０を設けることにより、配線保持部９０を設けることができ、該配線保持部９０に必要なスペースを抑制することができる。
【００７４】
ここで、配線保持部９０は、該配線保持部９０で保持された第１〜第４配線部材Ｈ１,Ｈ２,Ｈ３,Ｈ４と、図柄表示装置１７の設置領域５６が位置する側との間に延在する第１の規制片９１および第２の規制片９２からなるものであり、第１の規制片９１が係合支持部７０から設置領域５６と反対側に延出すると共に、第２の規制片９２が第１の規制片９１の延出端から設置部材５０側へ延出するように設けられている。すなわち、係合支持部７０(第１〜第３突板部７１,７２,７３および下側の係合凹部７５)と、第１の規制片９１および第２の規制片９２とにより、第１〜第４配線部材Ｈ１,Ｈ２,Ｈ３,Ｈ４を保持するための配線保持領域Ｒａが画成される。すなわち、配線保持部９０で第１〜第４配線部材Ｈ１,Ｈ２,Ｈ３,Ｈ４を確実に配線保持領域Ｒａに保持し得ると共に、設置領域５６に設置される図柄表示装置１７に対して第１〜第４配線部材Ｈ１,Ｈ２,Ｈ３,Ｈ４が接触するのを防ぐことができる。
【００７５】
また、設置部材５０には、係合支持部７０(第１〜第４突板部７１,７２,７３,７４)と離間して対向するように対向壁部９５が設けられており、該対向壁部９５が、配線保持領域Ｒａに保持した第１〜第４配線部材Ｈ１,Ｈ２,Ｈ３,Ｈ４の挿通経路Ｒを係合支持部７０との間に画成している。このように、対向させて設けた係合支持部７０および対向壁部９５によって第１〜第４配線部材Ｈ１,Ｈ２,Ｈ３,Ｈ４の挿通経路Ｒを画成することにより、第１〜第４配線部材Ｈ１,Ｈ２,Ｈ３,Ｈ４をより確実に保持することができる。ここで、対向壁部９５は、配線保持部９０の形成位置に対応する位置に設けられた第１対向部９６における後方への延出寸法Ｌ２よりも、配線保持部９０の形成位置から上下方向(第１〜第４配線部材Ｈ１,Ｈ２,Ｈ３,Ｈ４の延在方向)に偏倚した位置に設けられた第２対向部９７の後方への延出寸法Ｌ３が大きくなるよう設けられているから、配線保持領域Ｒａからの第１〜第４配線部材Ｈ１,Ｈ２,Ｈ３,Ｈ４の離脱を第２対向部９７によって規制することができる。また、対向壁部９５は、配線保持部９０における第２の規制片９２より係合支持部７０から離間する位置に設けられることで、第２の規制片９２および第１対向部９６の間から第１〜第４配線部材Ｈ１,Ｈ２,Ｈ３,Ｈ４を容易に配線保持領域Ｒａに挿入することができるようにしつつ、配線保持領域Ｒａに第１〜第４配線部材Ｈ１,Ｈ２,Ｈ３,Ｈ４を挿入した後には、該第１〜第４配線部材Ｈ１,Ｈ２,Ｈ３,Ｈ４を第２の規制片９２で配線保持領域Ｒａに確実に保持することができる。
【００７６】
また、設置部材５０には、係合支持部７０と対向壁部９５との間において配線保持部９０により形成される配線保持領域Ｒａに開口する逃げ孔９９が形成されている。すなわち、配線保持領域Ｒａに保持された第１〜第４配線部材Ｈ１,Ｈ２,Ｈ３,Ｈ４が設置部材５０に形成した逃げ孔９９へ変位し得ることで、幅寸法の大きな配線部材Ｈ１,Ｈ２,Ｈ３,Ｈ４を配線保持領域Ｒａで保持することができる。
【００７７】
更に、実施例のパチンコ機１０は、図柄表示装置１７等の遊技機構成部材が配設された設置部材５０に、配線保持部９０が画成する配線保持領域Ｒａに複数の配線部材Ｈ１,Ｈ３,Ｈ４を挿通して保持するものであり、該複数の配線部材Ｈ１,Ｈ３,Ｈ４のうちで第３配線部材Ｈ３が、配線保持部９０側へ向けて付勢された状態で配線保持部Ｒａに保持されることにより、第１および第４配線部材Ｈ１,Ｈ４を第３配線部材Ｈ３および配線保持部９０(具体的には、第１の規制片９１)との間に挟持するようにしている。これにより、複数の配線部材Ｈ１,Ｈ３,Ｈ４を保持するための構成を簡略化できるから、該複数の配線部材Ｈ１,Ｈ３,Ｈ４を比較的自由に取り回すことができる。
【００７８】
より具体的には、配線保持部９０の近傍に設けられたコネクタ接続部ＣＮ(左中継基板３７Ａに設けられたコネクタ接続部ＣＮ)に第３配線部材Ｈ３のコネクタが接続されることで、第３配線部材Ｈ３が、該コネクタ接続部ＣＮからの延在方向(前後方向)に対して交差する向き(側方かつ上方)に捻じるように撓ませた状態で配線保持領域Ｒａを挿通することで、第３配線部材Ｈ３が自身の撓みによる復元力Ｆ１が生じ、該復元力Ｆ１が第１および第４配線部材Ｈ１,Ｈ４に対して作用する。また、配線保持領域Ｒａに保持された第１、第３および第４配線部材Ｈ１,Ｈ３,Ｈ４とは別に、該第４配線部材Ｈ１,Ｈ３,Ｈ４と交差する左右方向へ延在する第７配線部材Ｈ７が設置部材５０の後面側に取り回されており、該第７配線部材Ｈ７が第３配線部材Ｈ３および設置部材５０の間に位置することで、第７配線部材Ｈ７によって第３配線部材Ｈ３が配線保持部９０側へ近接し、第１および第４配線部材Ｈ１,Ｈ４が第３配線部材Ｈ３および配線保持部９０の間に位置することで、第３配線部材Ｈ３において配線保持部９０側への復元力Ｆ２が作用する。このように各配線部材Ｈ１,Ｈ３,Ｈ４,Ｈ７を取り回すことにより、設置部材５０の構成を複雑化することなく、第３配線部材Ｈ３と配線保持部９０との間で第１および第４配線部材Ｈ１,Ｈ４を配線保持領域Ｒａに保持することができる。なお、第３配線部材Ｈ３は、第１および第４配線部材Ｈ１,Ｈ４の夫々を構成する配線の数よりも多数の配線により構成されているから、第１および第４配線部材Ｈ１,Ｈ４を確実に配線保持領域Ｒａに保持することができる。
【００７９】
〔変更例〕
本願は前述した実施例の構成に限定されるものではなく、その他の構成を適宜に採用することができる。
(1)  実施例では、収容空間を画成する空間画成部材として、前方に開口する箱状に設けられた設置部材を採用し、この設置部材における背面板(配設板部)に配線挿通部を設けると共に、設置部材における左側の外周板(交差板部)に配線誘導部およびコネクタ受入部を設けたが、以下のように構成してもよい。
・  背面板(配設板部)に設けた配線挿通部に連通する配線誘導部およびコネクタ受入部を、設置部材における右側、上側または下側の外周板(交差板部)の何れかに設けるようにしてもよい。
・  背面板(配設板部)に設けた配線挿通部に連通する配線誘導部を外周板(交差板部)に設けると共に、この外周板の前縁部に開口する配線受入部を、配線誘導部と直接連通するよう設けて、配線部材のコネクタが挿通可能なコネクタ受入部を設けないように構成してもよい。
(2)  実施例では、１つの配線挿通部と、１つのコネクタ受入部とを、１つの配線誘導部により連通するよう構成したが、複数のコネクタ受入部に連通する複数の配線誘導部が共通の配線挿通部に対して連通するよう構成してもよいし、１つのコネクタ受入部に連通する配線誘導部を、複数の配線挿通部と連通するよう途中で分岐する形状に設けてもよい。
(3)  遊技機としては、パチンコ機に限られるものではなく、アレンジボール機やパチンコ球を用いたスロットマシン等、その他各種の遊技機であってもよい。
【００８０】
本願には、例えば次のような技術的思想が含まれている。
(Ａ)  請求項１記載の構成を含む遊技機に関し、
前記配線誘導部(85b,86b)および前記配線挿通部(85a,86a)のうち少なくとも何れかは、前記配線部材(H4,H5,H6,H7)のコネクタを挿通し得ない大きさに形成されたことを要旨とする。
上記構成を含む遊技機によれば、配線部材をコネクタ受入部から配線挿通部まで移動させる途中において、配線部材のコネクタが配線誘導部または配線挿通部を介して収容空間側へ移動するのを防ぐことができる。
(Ｂ)  請求項３記載の構成を含む遊技機に関し、
前記配設板部(51)には、前記配線部材(H5,H6,H7)とは別の配線部材(H1,H3)が挿通する配線保持領域(Ra)を当該配設板部(51)との間に画成する配線保持部(90)が複数設けられて、該複数の配線保持部(90)によって前記別の配線部材(H1,H3)の複数箇所を保持するよう構成され、
前記配線部材(H5,H6,H7)は、前記配設板部(51)と前記別の配線部材(H1,H3)との間に、該別の配線部材(H1,H3)と交差する方向に延在して前記複数の配線保持部(90)の間を通過するよう配設されたことを要旨とする。
上記構成を含む遊技機によれば、配線保持領域を挿通する別の配線部材が、該別の配線部材と交差する方向に延在する配線部材の存在によって配設板部から離間する側(配線保持部側)へ近接するから、該別の配線部材を配線保持部で確実に保持することができる。また、配線部材が別の配線部材の延在方向に変位するのを複数の配線保持部によって規制することができる。
【符号の説明】
【００８１】
３７Ａ 左中継基板(基板)
５０ 設置部材(空間画成部材)
５１ 背面板(配設板部)
５２ 外周板(交差板部)
５３ 収容空間
５８ 排出路形成部材(遊技機構成部材)
８１ａ 連通口
８５ａ 配線挿通部
８５ｂ 配線誘導部
８５ｃ コネクタ受入部
９０ 配線保持部
ＣＮ コネクタ接続部(別のコネクタ接続部)
Ｈ３ 第３配線部材(別の配線部材)
Ｈ４ 第４配線部材(配線部材)
Ｈ７ 第７配線部材(配線部材)
Ｒ 挿通経路
【図１】
0006433399.tif 000002
【図２】
0006433399.tif 000003
【図３】
0006433399.tif 000004
【図４】
0006433399.tif 000005
【図５】
0006433399.tif 000006
【図６】
0006433399.tif 000007
【図７】
0006433399.tif 000008
【図８】
0006433399.tif 000009
【図９】
0006433399.tif 000010
【図１０】
0006433399.tif 000011